(57)【要約】【課題】ベルトがバックルから抜け出にくい釣り用履き物の提供。【解決手段】この履き物としての鮎タビは、ソール及びアッパーを有する本体と、このアッパーを締め付けるための締め付けベルト１０と、この締め付けベルトを上記本体に取り付けるためのインサイドバックル６及びアウトサイドバックル８とを備えており、上記締め付けベルト１０に、上記インサイドバックル６に係止するための係止部が形成されている。この係止部としては、締め付けベルト１０の幅方向に沿って形成された突条２２であるのが好ましい。この突条２２が、締め付けベルト１０の端部がその長手方向に向けて折り曲げられて状態で固定されたものであるのがさらに好ましい。【選択図】図４
2015042205.tif 000002
【特許請求の範囲】
【請求項１】
ソール及びアッパーを有する本体と、このアッパーを締め付けるための締め付けベルトと、この締め付けベルトを上記本体に取り付けるためのバックルとを備えており、
上記締め付けベルトに、上記バックルに係止するための係止部が形成されている釣り用履き物。
【請求項２】
上記係止部が、上記締め付けベルトの幅方向に沿って形成された突条から構成されている請求項１に記載の履き物。
【請求項３】
上記突条が、上記締め付けベルトの端部をその長手方向に向けて折り曲げることによって形成されている請求項２に記載の履き物。
【請求項４】
上記折り曲げられた部分に対し、突条に沿った縫製による固定、及び、接着剤による固定、の少なくとも一方の処理がなされている請求項３に記載の履き物。
【請求項５】
上記突条の、長手方向に垂直な平面で切った断面形状が、締め付けベルトの端部側から他端部側に向けて厚さが漸増するようにされている請求項２から４のいずれかに記載の履き物。
【発明の詳細な説明】
【技術分野】
【０００１】
本発明は、釣り人に着用される履き物に関する。詳細には、本発明は、釣り人の足の甲にアッパーを押しつけてフィットさせるための締め付けベルトを備えた履き物に関する。
【背景技術】
【０００２】
鮎釣り等では、釣り人は体が水につかった状態で釣りを行う。釣り人は、図８に示されるような鮎タビ８２を履いて釣りを行う。この鮎タビ８２は、本体８４、インサイド側のバックル（Ｄ環ともいう）８６、アウトサイド側のバックル８８、ベルト９０及び開閉ファスナー９２を備えている。開閉ファスナー９２は、本体８４の前面に装着されている。バックル８６、８８はループ状を呈している。このバックル８６、８８は本体８４に固定されている。バックル８６、８８にはベルト９０が掛けられる。開閉ファスナー９２が閉じられ、このベルト９０が締められることにより、本体８４のアッパーが釣り人の足の甲に押しつけられる。この押しつけにより、釣り人はフィット感を得られる。
【０００３】
図９には、上記ベルト９０が示されている。図９（ａ）がベルト９０の縦断面図、図９（ｂ）がベルト９０の平面図、図９（ｃ）がベルト９０の背面図である。このベルト９０は、帯状のベース９４と、固定用面ファスナー９６と、着脱用面ファスナー９８とを備えている。固定用面ファスナー９６は、ループ面９６Ｌとフック面９６Ｆとからなる。ループ面９６Ｌとフック面９６Ｆとは、ベース９４の一方の面９４ａに固着されている。ループ面９６Ｌとフック面９６Ｆとは、ベルト９０の一端９０ａ側から、互いに少し間隔をおいて配置されている。着脱用面ファスナー９８は、ループ面９８Ｌとフック面９８Ｆとからなる。ループ面９８Ｌとフック面９８Ｆとは、ベース９４の他方の面９４ｂに固着されている。ループ面９８Ｌとフック面９８Ｆとは、ベルト９０の他端９０ｂ側から、互いに少し間隔をおいて配置されている。
【０００４】
このベルト９０は、その一端９０ａ側（固定用面ファスナー９６側）から、アウトサイド側のバックル８８に挿通される。ベルト９０は、このバックル８８を支点として折り曲げられ、固定用面ファスナー９６のループ面９６Ｌとフック面９６Ｆとが密着して係合する。これにより、ベルト９０が本体８４に取り付けられる。
【０００５】
次いで、開閉ファスナー９２が開かれて、使用者の足が鮎タビ８２内に挿入される。開閉ファスナー９２が閉じられる。ベルト９０が、その他端９０ｂ側（着脱用面ファスナー９８側）から、インサイド側のバックル８６に挿通され、且つ、引かれる。ベルト９０は、引っ張られた状態で、このバックル８６を支点として折り曲げられ、着脱用面ファスナー９８のループ面９８Ｌとフック面９８Ｆとが密着して係合する。これにより、ベルト９０が、その全長にわたって本体８４に固定される。鮎タビ８２が使用者の足にフィットする。
【０００６】
使用者がこの鮎タビ８２を脱ぐときには、着脱用面ファスナー９８のループ面９８Ｌとフック面９８Ｆとの係合が解かれ、ベルト９０の緊張が緩められる。次いで、開閉ファスナー９２が開かれる。使用者が、足を鮎タビ８２から脱する。ベルト９０が、緊張を緩めるために引っ張られるとき、ベルト９０がインサイド側のバックル８６に対して移動する。バックル８６、８８は、一般的に、ベルト９０が容易に抜け出ないように、その開口部分の幅が狭くされている。しかし、ベルト９０が移動したとき、図８に示されるごとく、ベルト９０の着脱用面ファスナー９６側端９０ｂが、インサイド側のバックル８６から抜け出てしまうことが多い。特に開閉ファスナー９２が開かれるときには、ベルト９０が大きく移動させられるので、さらに抜け出やすくなる。この場合、使用者が、再度、鮎タビを着用するときには、ベルト９０を、上記バックル８６に着脱用面ファスナー９８側端から挿入する必要がある。
【０００７】
使用者が、鮎タビ８２を完全には脱がず、開閉ファスナー９２を開いて足の一時の開放感を得るだけであっても、ベルト９０がバックル８６から抜け出てしまう。この場合も、使用者は、ベルト９０をバックル８６に挿入する必要がある。使用者は、この作業のために前屈みになる必要がある。バックル８６、８８の開口部分の幅が狭い場合は、そこにベルト９０の端部を挿入する作業は容易ではない。使用者が釣り道具を持っている場合等にはさらに厄介な作業となる。
【０００８】
従来の鮎タビは、特開２０１１−０９４２５７号公報、実用新案登録第３１８２６１９号公報等に開示されている。
【先行技術文献】
【特許文献】
【０００９】
【特許文献１】特開２０１１−０９４２５７号公報
【特許文献２】実用新案登録第３１８２６１９号公報
【発明の概要】
【発明が解決しようとする課題】
【００１０】
本発明は、かかる現状に鑑みてなされたものであり、締め付けベルトがバックルから外れにくい釣り用履き物を提供することを目的としている。
【課題を解決するための手段】
【００１１】
本発明に係る釣り用履き物は、
ソール及びアッパーを有する本体と、このアッパーを締め付けるための締め付けベルトと、この締め付けベルトを上記本体に取り付けるためのバックルとを備えており、
上記締め付けベルトに、上記バックルに係止するための係止部が形成されている。
【００１２】
好ましくは、上記係止部が、上記締め付けベルトの幅方向に沿って形成された突条から構成されている。
【００１３】
好ましくは、上記突条が、上記締め付けベルトの端部をその長手方向に向けて折り曲げることによって形成されている。
【００１４】
好ましくは、上記折り曲げられた部分に対し、突条に沿った縫製による固定、及び、接着剤による固定、の少なくとも一方の処理がなされている。
【００１５】
好ましくは、上記突条の、長手方向に垂直な平面で切った断面形状が、締め付けベルトの端部側から他端部側に向けて厚さが漸増するようにされている。
【発明の効果】
【００１６】
本発明に係る釣り用履き物よれば、締め付けベルトがバックルから外れにくいので、あらゆる状況下で、履いた後の締め付けベルトの締め付け作業が容易となる。
【図面の簡単な説明】
【００１７】
【図１】図１は、本発明の一実施形態に係る釣り用履き物の右側面図である。
【図２】図２は、図１の釣り用履き物の左側面図である。
【図３】図３は、図１の釣り用履き物の、ファスナーが閉じられ、ベルトが締め付けられた状態を示す正面図である。
【図４】図４（ａ）は図１の釣り用履き物のベルトを示す縦断面図であり、図４（ｂ）は図４（ａ）のベルトの平面図であり、図４（ｃ）は図４（ａ）のＣ部の拡大図であり、図４（ｄ）は図４（ａ）のＤ部の拡大図であり、図４（ｅ）は図４（ａ）のＥ部の拡大図であり、図４（ｆ）は図４（ａ）のＦ部の拡大図である。
【図５】図５は、図４のベルトの釣り用履き物への装着手順を示す断面図である。
【図６】図６は、ベルトの他の例の一部分を示す縦断面図である。
【図７】図７は、図４のベルトの動作を説明する断面図である。
【図８】図８は、従来の釣り用履き物の一例を示す正面図である。
【図９】図９（ａ）は図８の釣り用履き物のベルトを示す縦断面図であり、図９（ｂ）は図９（ａ）のベルトの平面図であり、図９（ｃ）は図９（ａ）のベルトの背面図である。
【発明を実施するための形態】
【００１８】
以下、適宜図面が参照されつつ、好ましい実施形態に基づいて本発明が詳細に説明される。
【００１９】
図１、図２及び図３には鮎タビ２が示されている。図１には、左側の鮎タビ２のインサイドが示されている。図２には、この左側の鮎タビ２のアウトサイドが示されている。図３は、この左側の鮎タビ２の正面図である。図示はされていないが、右側の鮎タビは、左側の鮎タビ２の形状が反転した形状を有する。
【００２０】
この鮎タビ２は、本体４、インサイド側のバックル６、アウトサイド側のバックル８、締め付けベルト（以下、単にベルトという）１０及び開閉ファスナー１２を備えている。本体４は、アッパー４２、ソール４４及びカバー４６を有している。開閉ファスナー１２は、アッパー４２の前面の上端からつま先近傍にかけて装着されている。開閉ファスナー１２は、アッパー４２の前部を開閉しうる。バックル６、８は、略長方形のループ状を呈している。このバックル６、８は、固定バンド１４によって、アッパー４２に固定されている。ベルト１０は、インサイドバックル６とアウトサイドバックル８との間に掛けわたされる。開閉ファスナー１２が閉じられ、このベルト１０が締められることにより、アッパー４２が釣り人の足の甲に押しつけられる。
【００２１】
図４及び図５には上記ベルト１０が示されている。図４には、展開された状態のベルト１０が示されている。図５には、バックル６、８を支点として折り返されつつある状態のベルト１０が示されている。このベルト１０は、帯状のベース１６と、固定用面ファスナー１８と、着脱用面ファスナー２０とを備えている。固定用面ファスナー１８は、ベルト１０を、常時アッパー４２に取り付けておくためのものである。着脱用面ファスナー２０は、ベルト１０を、締め付けた状態にしたり、緩めた状態にするためのものである。ベース１６は、典型的には、織布から形成される。ベース１６が、皮革、合成皮革、樹脂シート等から形成されてもよい。
【００２２】
固定用面ファスナー１８は、ベース１６の一方の面１６ａに、縫製によって固着されている。固定用面ファスナー１８は、フック面１８Ｆとループ面１８Ｌとからなる。図４（ｃ）に示されるように、フック面１８Ｆには、多数の樹脂製のフック３２が一面に植え付けられている。図４（ｄ）に示されるように、ループ面１８Ｌには、繊維からなる多数のループ３４が一面に植え付けられている。固定用面ファスナー１８のフック面１８Ｆとループ面１８Ｌとは、ベルト１０の一端１０ａ側から、互いに少し間隔Ａ１をおいて配置されている。
【００２３】
ベルト１０は、アウトサイドバックル８に対しては、その一端１０ａ側から挿通される。この一端１０ａは、固定用面ファスナー１８側の端部であるため、以下、固定側端１０ａとも呼ぶ。図４に示されるように、通常は、ベース１６における、固定用面ファスナー１８のフック面１８Ｆとループ面１８Ｌとの間の部分Ａ１に、アウトサイドバックル８が位置する。ベース１６は、フック面１８Ｆとループ面１８Ｌとの間で、アウトサイドバックル８を支点として折り返される（図５）。フック面１８Ｆとループ面１８Ｌとが、密着して係合する。これにより、ベルト１０は、アウトサイドバックル８に取り付けられ、アッパー４２に装着される。
【００２４】
着脱用面ファスナー２０は、ベース１６の他方の面１６ｂに、縫製によって固着されている。着脱用面ファスナー２０は、ループ面２０Ｌとフック面２０Ｆとからなる。図４（ｄ）に示されるように、図４（ｅ）に示されるように、フック面２０Ｆには、多数の樹脂製のフック３２が一面に植え付けられている。ループ面２０Ｌには、繊維からなる多数のループ３４が一面に植え付けられている。着脱用面ファスナー２０のループ面２０Ｌとフック面２０Ｆとは、ベルト１０の他端１０ｂ側から、互いに少し間隔Ａ２をおいて配置されている。この他端１０ｂは、着脱用面ファスナー２０側の端部であるため、以下、着脱側端１０ｂとも呼ぶ。
【００２５】
ベルト１０は、インサイドバックル６に対しては、その着脱側端１０ｂから挿通され、且つ、引かれる。図４に示されるように、通常は、ベース１６における、着脱用面ファスナー２０のフック面２０Ｆとループ面２０Ｌとの間の部分Ａ２に、インサイドバックル６が位置する。ベース１６は、フック面２０Ｆとループ面２０Ｌとの間で、インサイドバックル６を支点として折り返される（図５）。フック面２０Ｆとループ面２０Ｌとが、密着して係合する。これにより、ベルト１０がインサイドバックル６に取り付けられる。
【００２６】
図４に示されるように、本実施形態では、ベルト１０の着脱側端１０ｂには、抜け止め用の係止部としての突条２２が形成されている。この突条２２は、ベルト１０の幅方向に沿って形成されている。突条２２は、ベルト１０の一方の面１０上に突出するように形成されている。この一方の面１６ａとは、ベルト１０が本体４に装着されて、着脱用面ファスナー２０のフック面２０Ｆとループ面２０Ｌとが係合した状態のとき、ベルト１０の２面のうちの本体４側を向く面である。本実施形態では、着脱用面ファスナー２０が固着されている面である。このベルト１０が緩められて、その着脱側端１０ｂがインサイドバックル６に至ると、突条２２が突設されている面は、上記とは逆に外方（反本体４側）を向く。
【００２７】
この突条２２は、インサイドバックル６に挿通されたベルト１０が、不用意にインサイドバックル６の開口から抜け出ることを防止するためのものである。ベルト１０が外力によって引っ張られ、着脱側端１０ｂがインサイドバックル６の開口から抜け出ようとしたとき、上記突条２２がインサイドバックル６に係止する。これにより、ベルト１０のインサイドバックル６からの脱出が防止されうる。
【００２８】
図４（ｆ）に示されるように、この突条２２は、ベース１６の着脱側の端１０ｂがベルト１０の長手方向に向けて折り曲げられ、重ね合わされることにより、形成されている。本実施形態では、ベース１６の端部が２回折り曲げられている。この折り曲げにより、ベース１６が３層に折り重なっている。しかし、折り曲げは２回には限定されない。ベース１６の厚さ等に応じて、１回のみ折り曲げられてもよく、３回以上折り曲げられてもよい。
【００２９】
図４（ｆ）に示されるように、突条２２の長手方向に垂直な平面で切った断面形状が、ベルト１０の着脱側端１０ｂ側から固定側端１０ａ側に向けて厚さが漸増する形状にされている。突条２２の断面形状は、略三角形状にされている。かかる突条２２の断面形状により、ベルト１０の端部１０ｂをインサイドバックル６に挿通する際の困難性が低くなる。一方、突条２２の固定側端１０ａ側の部位がインサイドバックル６に係止しやすくなる。これにより、ベルト１０のインサイドバックル６からの抜け出し防止効果が向上する。
【００３０】
上記折り曲げ部分２２は、ベルト１０の幅方向に沿って、すなわち突条２２の長手方向に沿って糸３６で縫われることにより、固定されている。この縫製は、ベース１６の折り畳み幅（突条２２の幅）Ｗの中央より、着脱側端１０ｂ側に寄った部位に対して行われている。これにより、突条２２の固定側端１０ａ側が膨らみ、厚さが固定側端１０ａ側に向けて漸増する。この折り曲げ部分２２の固定は、縫製に代えて、又は、縫製とともに、接着剤によって行われてもよい。
【００３１】
図４（ｆ）に示されるように、突条２２における、折り畳まれた部位の他端側が、着脱用面ファスナー２０のループ面２０Ｌに重なるように形成するのが好ましい。これにより、突条２２の固定側端１０ａ側がさらに盛り上がり、厚さが固定側端１０ａ側に向けて増大する。
【００３２】
突条の形成位置は、ベルトの端部には限定されない。図６に示されるように、突条２４は、ベルトの端部から離間した部位に形成されてもよい。この突条２４は、ベース１６を摘むように縫製することにより、形成されている。この突条２４の形成方法としては、まず、ベース１６を二つ折りにして重ねる。重ね合わさったベース１６の、幅方向に延びる折れ線ＢＬからわずかに離間した部位を、この折れ線ＢＬに沿って糸３６で縫う。次いで、二つ折りにされたベース１６を拡げると、上記突条２４が出来上がる。
【００３３】
この構成によれば、使用者は着脱側端１０ｂを摘むことができるので、ベルト１０をインサイドバックル６に挿通する作業が容易となる。以下のとおりである。まず、インサイドバックル６にベルト１０をその着脱側端１０ｂを差し入れる。次いで、差し入れられた着脱側端１０ｂを摘んで引っ張れば、突条３０が容易にインサイドバックル６を通過しうる。
【００３４】
図７に示されるように、以上説明されたベルト１０が、インサイドバックル６から抜け出る方向に引かれると、インサイドバックル６は、引かれる方向に、アッパー４２の表面及びベルト１０の表面に沿うように倒れる。一方、ベルト１０の突条２２は、インサイドバックル６に至ったときには、前述のとおり外方を向くことになる。その結果、上記突条２２がインサイドバックル６に係止しやすくなる。また、ベルト１０の幅方向に延びる突条２２は、その全長にわたってインサイドバックル６に係止する。その結果、係止力が強くなる。すなわち、インサイドバックル６からの脱出に対する抵抗力が大きくなる。
【００３５】
以上の実施形態では、突条２２、２４は、ベース１６が折り畳まれることによって形成されている。しかし、かかる構成には限定されない。例えば、ベース１６上に固着される着脱用面ファスナー２０を折り畳むことにより、突条を形成してもよい。また、ベース１６及び着脱用面ファスナー２０とは別体の突条部材を、縫製、接着剤等により、ベースの幅方向に取り付けてもよい。この突条部材の材料としては、ゴム、合成樹脂、敷布等が例示されうる。しかし、突条の形成が容易である点から、ベース１６を折り畳む方法が好ましい。
【００３６】
以上の実施形態では、突条２２、２４は、ベース１６の一方の面からのみ突出するように形成されている。しかし、かかる構成には限定されない。突条は、ベース１６の両面に突出するように形成されてもよい。これらの実施形態では、突条（係止部）２２、２４はベルト１０の幅全体にわたって形成されているが、かかる構成には限定されない。係止部は、ベルト１０の面上に部分的に形成されてもよい。係止部は、ベルト１０の面上のみならず、ベルトの両縁部に形成されてもよい。しかし、バックルに係止する範囲が長く、係止力が強くなるとの理由から、係止部は、ベルト１０の幅全体にわたって形成されているのが好ましい。
【産業上の利用可能性】
【００３７】
以上説明された履き物は、鮎タビのみならず、ウェーダー用のタビ等の種々の釣り用履き物に用いられうる。
【符号の説明】
【００３８】
２・・・鮎タビ
４・・・本体
６・・・インサイドバックル
８・・・アウトサイドバックル
１０・・・ベルト
１２・・・開閉ファスナー
１４・・・固定バンド
１６・・・ベース
１８・・・固定用面ファスナー
２０・・・着脱用面ファスナー
２２、２４・・・（係止用）突条
３２・・・フック
３４・・・ループ
３６・・・糸
４２・・・アッパー
４４・・・ソール
４６・・・カバー
【図１】
2015042205.tif 000003
【図２】
2015042205.tif 000004
【図３】
2015042205.tif 000005
【図４】
2015042205.tif 000006
【図５】
2015042205.tif 000007
【図６】
2015042205.tif 000008
【図７】
2015042205.tif 000009
【図８】
2015042205.tif 000010
【図９】
2015042205.tif 000011